(57)【要約】      （修正有）【課題】天井スラブへのスプリンクラーヘッドの固定作業の容易化、及び取付け高さ位置調整の簡易化を図る。【解決手段】天井スラブ１の下面側に固定金具５を固定する。天井スラブ１の下面側に這わした消火配水管２の末端にスプリンクラーヘッド４をエルボ型の継手３を介して接続する。継手３には取付け座３ｃを一体に付設しており、固定金具５の垂直面板２４の内面に取付け座３ｃを上下方向にスライド自在に重ね合わし、止めねじ３０を垂直面板２３の外側から縦長孔２７に挿通して取付け座３ｃの雌ねじ孔６に螺合させることによって垂直面板２３の内面上に継手３が固定され、スプリンクラーヘッド４が所定高さ位置に取り付けられる。【選択図】図１
2009089788.tif 000002
【特許請求の範囲】
【請求項１】
天井スラブの下面側に這わした消火配水管の末端にエルボ型の継手を介して接続されたスプリンクラーヘッドを天井スラブに下向きに取り付ける取付け装置において、前記継手には雌ねじ孔を有する取付け座を一体に付設しており、上面板と、この上面板の一端部から下向きに略直角に折曲げられ縦長孔を有する垂直面板とからなる断面逆Ｌ形状の固定金具の前記上面板を天井スラブの下面に固定し、前記継手の取付け座を前記垂直面板の内面上に上下方向にスライド自在に重ね合わすとともに、前記垂直面板の外側から前記縦長孔に挿通される止めねじを前記雌ねじ孔に螺合させることによって前記継手が前記垂直面板の内面上に固定されていることを特徴とする、スプリンクラーヘッドの取付け装置。
【請求項２】
前記上面板と垂直面板の同一側方を塞ぐ形の補強側面板が前記上面板と垂直面板の同一側端に一体に若しくは一体的に設けられ、前記垂直面板の他側端にガイド側面板が前記補強側面板と対向するように一体に若しくは一体的に設けられており、前記取付け座が前記補強側面板とガイド側面板の案内作用で上下方向にスライドするように構成されている、請求項１記載のスプリンクラーヘッドの取付け装置。
【請求項３】
前記止めねじが蝶ねじからなる、請求項１又は２記載のスプリンクラーヘッドの取付け装置。
【発明の詳細な説明】
【技術分野】
【０００１】
本発明は、建築物に設置されるスプリンクラー消火設備において天井スラブにスプリンクラーヘッドを高さ調整可能に取り付ける取付け装置に関する。
【背景技術】
【０００２】
この種のスプリンクラーヘッドの取付け装置としては、同一出願人により、図５に示すごときものを提案した。そこでは、天井スラブ１の下面側に這わした消火配水管４０の末端に座付きエルボ型の継手４１を介して接続されるスプリンクラーヘッド４２を天井スラブ１に下向きに取り付ける。その取付けに際しては、固定金具４３として、上面板４４と、上面板４４の一端部から下向きに略直角に折曲げられ縦長孔４５を有する垂直面板４６からなる断面逆Ｌ形状の金具本体４７と、雌ねじ孔４８を有する垂直片４９ａと水平片４９ｂとを有する断面Ｌ形状の金属製の取付部材４９とを用意する。かくして、固定金具４３はこれの上面板４４を天井スラブ１に該天井スラブ１から下向きに突出するボルト５０を介して固定し、継手４１の取付け座４１ａには取付部材４９の水平片４９ｂをビス５０で取り付け、取付部材４９の垂直片４９ａは固定金具４３の垂直面板４６の内面上に上下方向にスライド自在に重ね合わせるとともに、垂直面板４６の外側から縦長孔４５に挿通される止めねじ５１を垂直片４６の雌ねじ孔４８に螺合させることにより、スプリンクラーヘッド４２が天井スラブ１に所定の取付け高さ位置に下向きに固定される。
【０００３】
このような構成の取付け装置によれば、スプリンクラーヘッド４２側に取り付けられた取付部材４９を固定金具４３の垂直面板４６の内面上に止めねじ５１によって取り付けるに先立って、垂直面板４６の縦長孔４５への止めねじ５１の挿通位置を上下方向にずらすことにより天井スラブ１に対するスプリンクラーヘッド４２の取付け高さ位置を図外の天井パネルの高さに対応すべく調整できるというものである。  
【０００４】
【特許文献１】特開２００２−２３９０２４号公報
【発明の開示】
【発明が解決しようとする課題】
【０００５】
しかるに、継手４１が固定金具４３に取付部材４９を介して取り付けられる上記スプリンクラーヘッドの取付け装置では、固定金具４３以外に取付部材４９を必要とし、そのうえ取付部材４９を継手４１の取付け座４１ａにビス５０で止め付ける工数を要し、部材点数並びに組立て工数の増大を招くという問題があった。
【０００６】
本発明は、上記のような問題を解決すためになされたものであり、その目的とするところは、天井スラブへのスプリンクラーヘッドの取付け作業の容易化、及び取付け高さ調整作業の簡易化を図れるうえ、上記従来のスプリンクラーヘッドの取付け装置に必須の取付部材（４９）を省略化できて部材点数並びに組立工数の減少を図れるスプリンクラーヘッドの取付け装置を提供することにある。
【課題を解決するための手段】
【０００７】
本発明は、請求項１に記載のように、その発明の内容を理解し易くするために図１〜図４に付した符号を参照して説明すると、天井スラブ１の下面側に這わした消火配水管２の末端にエルボ型の継手３を介して接続されたスプリンクラーヘッド４を天井スラブ１に下向きに取り付ける取付け装置において、前記継手３には雌ねじ孔６を有する取付け座３ｃを一体に付設しており、上面板２３と、この上面板２３の一端部から下向きに略直角に折曲げられ縦長孔２７を有する垂直面板２４とからなる断面逆Ｌ形状の固定金具５の前記上面板２３を天井スラブ１の下面に固定し、継手３の取付け座３ｃを垂直面板２３の内面上に上下方向にスライド自在に重ね合わすとともに、垂直面板２３の外側から縦長孔２７に挿通される止めねじ３０を前記雌ねじ孔６に螺合させることによって継手３が垂直面板２３の内面上に固定されていることに特徴を有するものである。
【０００８】
このような構成のスプリンクラーヘッドの取付け装置によれば、固定金具５の上面板２３を天井スラブ１の下面に固定する工程と、継手３の取付け座３ｃを直接、固定金具５の垂直面板２４の内面上に止めねじ３０で止め付ける工程の二工程のみで、天井スラブ１にスプリンクラーヘッド４を所定高さ位置に簡易迅速に取り付けることができる。そのうえ、固定金具５の垂直面板２４に直接、継手３の取付け座３ｃを止めねじ３０で止め付けることにより、前述した従来のスプリンクラーヘッドの取付け装置のごとき取付部材を省略することができる。
【０００９】
請求項１記載のスプリンクラーヘッドの取付け装置は、請求項２に記載のように、前記上面板２３と垂直面板２４の同一側方を塞ぐ形の補強側面板２８が上面板２３と垂直面板２４の同一側端に一体に若しくは一体的に設けられ、垂直面板２３の他側端にガイド側面板２９が補強側面板２８と対向するように一体に若しくは一体的に設けられており、前記取付け座３ｃが補強側面板２８とガイド側面板２９の案内作用で上下方向にスライドするように構成することができる。この構成によると、補強側面板２８およびガイド側面板２９により固定金具５の剛性を高めることができ、スプリンクラーヘッド４の取付けや交換を行うときに固定金具５に作用するねじれ力に十分を対抗できて固定金具５のねじれ変形をよく防止できる。そればかりか、補強側面板２８およびガイド側面板２９は継手３を垂直面板２３の内面上に上下方向に安定良く円滑にスライドさせるガイド機能を兼備することができる。
【００１０】
請求項１又は２記載のスプリンクラーヘッドの取付け装置は、請求項３に記載のように、前記止めねじ３０には蝶ねじを使用することができる。これによれば、蝶ねじの蝶形頭部をつかむことで工具を用いることなくねじ締め付けを可能にする。
【発明の効果】
【００１１】
本発明によれば、天井スラブにスプリンクラーヘッドを所定高さ位置に簡易迅速に取り付けることができ、そのうえ前述した従来のスプリンクラーヘッドの取付け装置のごとき取付部材を省略することができて部材点数並びに組立工数の減少を図ることができるという利点がある。
【発明を実施するための最良の形態】
【００１２】
本発明の一実施例を図１ないし図４に基づき説明する。図１はスプリンクラーヘッドの取付け装置を一部破断して示す側面図、図２は図１におけるＡ矢視図、図３は図１におけるＢ−Ｂ線断面図、図４は図１におけるＣ−Ｃ線拡大断面図である。
【００１３】
図１ないし図４において、本発明に係るスプリンクラーヘッドの取付け装置は図外のヘッダー等から天井スラブ（天井梁を含む）１の下面側に這わしたポリブテン等樹脂材料からなる消火配水管２の末端にエルボ型の継手３を介して接続されるスプリンクラーヘッド４を、天井スラブ１に固定金具５を以って下向きに取り付けるものである。
【００１４】
図１、図２に示すように、エルボ型の継手３は、垂直管部３ａとこの垂直管部３ａの上端に屈曲連設した水平管部３ｂとの間の屈曲部の外周側に四角形状の取付け座３ｃを垂直に一体に付設している。取付け座３ｃの背面中央部には雌ねじ孔６を設けている。垂直管部３ａの下端開口部の内周にはスプリンクラーヘッド４の上端の雄ねじ部４ａがねじ込み接合される雌ねじ７を設けている。水平管部３ｂの先端には挿し口８を一体に形成し、この挿し口８の外周にはＯリング等のシールリング９が収容される環状のシールリング収容凹溝１０と、このシールリング収容凹溝１０の後方に並べて配される環状の抜止め溝１１とを設けている。
【００１５】
図１、図４に示すように、継手３の挿し口８には、消火配水管２の末端に熱融着、電気融着、あるいは接着手段等で接合されるポリブテン等樹脂材料からなるソケット１２が抜止め状にかつシール状にワンタッチで接続されるようにしている。
【００１６】
すなわち、ソケット１２はこれの先端側に消火配水管２が接続される小径管部１２ａを形成し、後端側には継手３の挿し口８が相対回転可能に挿入される大径の受口部１３を小径管部１２ａの後端側に段部１２ｂを介して連設し、受口部１３の外周にはストッパーリング１４が取外し可能に嵌め込まれるストッパーリング収容凹溝１５を設けている。
【００１７】
図４に示すように、ストッパーリング１４は、樹脂や金属材料で開離両端部１４ｂ，１４ｂを有するＣ形状に形成されて弾性で拡縮変形自在なリング本体１４ａと、このリング本体１４ａの内周に内向きに一体に突設した複数個（図示例では３個）の抜止め爪１６とを有する形に形成している。一方、ソケット１２のストッパーリング収容凹溝１５の溝底にはストッパーリング１４の抜止め爪１６に対応する爪挿通孔１７を設けている。かくして、図４に示すように、ストッパーリング１４はソケット１２のストッパーリング収容凹溝１５に嵌め込まれると、ストッパーリング１４の抜止め爪１６が爪挿通孔１７に挿通して該抜止め爪１６の先端部１６ａが受口部１３内へ突出するとともに、ストッパーリング１４のリング本体１４ａの外周面が受口部１３の外周面と略面一になるように納められるように構成している。図１のように、挿し口体８がソケット１２の受口部１３に所定深さにまで挿入されると、図４のようにストッパーリング収容凹溝１５が抜止め溝１１の外周に対応し、爪挿通孔１７から突出する抜止め爪１６の先端部１６ａが抜止め溝１１に抜止め状に係合するように構成されている。
【００１８】
ソケット１２の外周には、筒状のソケットカバー１８を少なくともストッパーリング１４の外周を覆うように被覆嵌合する。ソケットカバー１８は、図１に示すように、ポリエチレン、ポリプロピレン、ポリフェニールサルフォン（ＰＰＳＵ）等樹脂材で、ソケット１２の受口部１３の外径と略同一の内径を有する透明若しくは半透明な筒状に形成している。ソケットカバー１８の開口先端には、ソケット１２の小径管部１２ａの外径と略同一の内径を有する位置決め機能用の内向き鍔１８ａを半径方向内方に張り出している。内向き鍔１８ａの内周縁には内向き鍔１８ａを拡縮変形自在とするための切欠１９を円周方向に列設している。
【００１９】
そして、このソケットカバー１８は、ソケット１２の外周に少なくともストッパーリング１４のリング本体１４ａの外周を覆うように被覆嵌合される。すなわち、ソケット１２において小径管部１２ａの先端の外周に第１の環状リブ２０を設け、この第１の環状リブ２０と段部１２ｂとの間に第２，３の環状リブ２１，２２を設ける。かくして、ソケットカバー１８をこれの後端開口部をソケット１２の小径管部１２ａの先端から第１の環状リブ２０を乗り越えて小径管部１２ａの外周に嵌合し、内向き鍔１８ａを第１，２環状リブ２０，２１間の周溝内に停止させた状態に抜止め状態に装着する（図１中、仮想線Ｆで示す状態参照）。このソケットカバー１８の装着状態では、ストッパーリング１４はソケットカバー１８により覆われず露出する状態にあり、ストッパーリング１４はソケット１２のストッパーリング収容凹溝１５に対し着脱操作可能である。
【００２０】
図１中、仮想線Ｆで示すソケットカバー１８の装着状態から更に該ソケットカバー１８を受口部１３の方向に押し動かして第２，３環状リブ２１，２２を順次乗り越えるまでスライド移動させ、図１に実線状態で示すように内向き鍔１８ａをソケット1２の段部1２bに当接係合させるように第３環状リブ２１と段部１２ｂとの間の周溝に停止させる。すると、ソケットカバー１８がストッパーリング１４のリング本体１４ａの外周を覆う状態を保持することになる。  このようにソケットカバー１８をストッパーリング１４の外周に被覆嵌合することにより、不慮に何らかの外力や内圧による力によりストッパーリング１４がストッパーリング収容凹溝１５から外れたり、ソケット１２に加えられる引き抜き力によりストッパーリング１４がストッパーリング収容凹溝１５内でねじれ変形したり、ストッパーリング１４が給湯等でストッパーリング収容凹溝１５内で熱変形するのを抑制することができる。
【００２１】
図１〜図３において、固定金具５は、上面板２３、及び上面板２３の一端部から下向きに略直角に折曲げられた垂直面板２４からなる断面逆Ｌ形状に形成される。上面板２３の中央には、天井スラブ１から下向きに突設された１本のボルト２５に挿通できるボルト挿通孔２６を設けている。垂直面板２４には垂直方向に長い縦長孔２７を設けている。
【００２２】
固定金具５は、さらに、上面板２３と垂直面板２４の同一側端には、垂直面板２４の一端部を直角に折り曲げて上面板２３と垂直面板２４の同一側方を塞ぐ形の補強側面板２８を一体に設けるとともに、この補強側面板２８と上面板２３との突き合わせ部をリベットＲでかしめ結合して剛体化することにより固定金具５全体の剛性を高めている。また、垂直面板２４の他側端には垂直面板２４の板幅よりも狭い板幅のガイド側面板２９を補強側面板２８と対向するように一体に若しくは一体的に連設し、このガイド側面板２９の付設により更に剛性を高めることができる。したがって、スプリンクラーヘッド４の上端の雄ねじ部４ａを継手３の垂直管部３ａの開口下端の雌ねじ７に締め付けたり緩めてスプリンクラーヘッド４を取付けたり、交換するとき、特に強く締め付けるときに、固定金具５に大きいねじり力が作用するが、このとき剛性を有する固定金具５はそのねじり力に十分対抗できるため、固定金具５のねじれ変形を防止できる。
また、図２、図３に示すように、これら補強側面板２８とガイド側面板２９に対しては継手３の取付け座３ｃの両端を上下方向に摺動自在に配して継手３を上下方向にスライド案内するように構成している。
【００２３】
継手３は取付け座３ｃを固定金具５の垂直面板２４の内面上に補強側面板２８とガイド側面板２９の案内下で上下方向にスライド自在に重ね合わすとともに、蝶ねじからなる止めねじ３０の蝶形頭部をつかんで止めねじ３０を垂直面板２４の外側からを縦長孔２７に挿通して該止めねじ３０の先端を取付け座３ｃの雌ねじ孔６に螺合させることによって、継手３が垂直面板２４の内面上の所望高さ位置に固定されるようになっている。
【００２４】
次に、現場施工で固定金具５を用いてスプリンクラーヘッド４を天井スラブ１に取り付ける要領の一例について説明する。
【００２５】
図１及び図２に示すように、天井スラブ１から下向きに突出した１本のボルト２５に上面板２３のボルト挿通孔２６を挿通させ、該ボルト挿通孔２６から上面板２３の内側に突出するボルト２５の先端にナット３１を締め付けることにより固定金具５が天井スラブ１に垂下状に取り付けられる。
一方、スプリンクラーヘッド４がこれの上端の雄ねじ部４ａを継手３の垂直管部３ａの下端開口部の雌ねじ７にねじ込むことで接合される。消火配水管２の末端に接合されたソケット１２が上述した要領で継手３の水平管部３ｂの挿し口８に抜止め状にかつシール状に差し込み接続される。
【００２６】
継手３は取付け座３ｃを固定金具５の垂直面板２４の内面上に補強側面板２８とガイド側面板２９の案内下で上下方向にスライドするように重ね合わすとともに、垂直面板２４の外側から止めねじ３０を縦長孔２７に挿通し、該止めねじ３０を取付け座３ｃの雌ねじ孔６に螺合させることによって継手３が垂直面板２４の内面上に固定される。その際、垂直面板２４の縦長孔２７への止めねじ３０の挿通位置を上下方向にずらすことにより天井スラブ１に対するスプリンクラーヘッド４の取付け高さ位置を図外の天井パネルの高さに対応させて調整できる。しかる後、止めねじ３０を完全に締め付けることによりスプリンクラーヘッド４が所望の取付け高さ位置に取り付けられた状態が得られる。
【００２７】
このように、固定金具５の上面板２３を天井スラブ１の下面に固定するとともに、継手３の取付け座３ｃを固定金具５の垂直面板２４に止めねじ３０で止め付けるという数少ない作業工程で、消火配水管２の末端にエルボ型の継手３を介して接続されたスプリンクラーヘッド４を天井スラブ１に所定高さ位置に簡易迅速に取り付けることができる。しかも、固定金具５の垂直面板２４に直接、継手３の取付け座３ｃを止めねじ３０で止め付けるので、図５に示す従来のスプリンクラーヘッドの取付け装置のごとき取付部材４９を用いることなく、数少ない部材点数並びに組立工数でスプリンクラーヘッド４の取り付け作業が行える。
【００２８】
なお、上記のように天井スラブ１にスプリンクラーヘッド４を取り付けるに際し、継手３を固定金具５に取り付ける前に、消火配水管２の末端、スプリンクラーヘッド４を継手３に接続すること、継手３を固定金具５に取り付けた後に、消火配水管２の末端、スプリンクラーヘッド４を継手３に接続することは任意である。
【図面の簡単な説明】
【００２９】
【図１】本発明の一実施例のスプリンクラーヘッドの取付け装置を一部破断して示す側面図である。
【図２】図１におけるＡ矢視図である。
【図３】図１におけるＢ−Ｂ線断面図である。
【図４】図１におけるＣ−Ｃ線拡大断面図である。
【図５】従来例のスプリンクラーヘッドの取付け装置を天井スラブに取り付けた状態で示す側面図である。
【符号の説明】
【００３０】
１ 天井スラブ
２ 消火配水管
３  エルボ型の継手
３ｃ  取付け座
４ スプリンクラーヘッド
５ 固定金具
６  雌ねじ孔
２３ 上面板
２４ 垂直面板
２７ 縦長孔
２８ 補強側面板
２９  ガイド側面板
３０ 止めねじ
【図１】
2009089788.tif 000003
【図２】
2009089788.tif 000004
【図３】
2009089788.tif 000005
【図４】
2009089788.tif 000006
【図５】
2009089788.tif 000007